(57)【要約】家具と家具またはパーティションとパーティションなどを互いに連結したり、分離するとき、別の工具を使用しなくとも結合及び分離が容易であり、側面から加えられる衝撃にも分離されないように堅固に固定させる埋め込み型連結固定具を提供する。【選択図】図２
2019511946.tif 000002
【特許請求の範囲】
【請求項１】
内部にメス磁着具を固定させて内蔵したメス本体と、
前記メス磁着具に磁着されるオス磁着具と、
前記オス磁着具の一部が出入可能なようにオス磁着具を内蔵するオス本体と、
前記メス本体の内部に形成され、磁力によりオス本体から突出されるオス磁着具の一部が挿入されて、前記メス磁着具に磁着されるようにする磁着空間と、
前記磁着空間に挿入されたオス磁着具が挿入方向の垂直方向に摺動するとき、メス本体にオス磁着具を固定させる固定空間と、を備える
ことを特徴とする埋め込み型連結固定具。
【請求項２】
前記オス磁着具は、オス本体内部に内蔵され、オス本体内部で移動可能な基部と、前記基部から突出されて、メス本体の磁着空間に挿入可能な磁着部と、前記磁着部に形成された係止溝とを備える
請求項１に記載の埋め込み型連結固定具。
【請求項３】
前記固定空間は、磁着空間に挿入後、垂直方向に摺動するオス磁着具の係止溝に係止されるようにメス本体から突出された突出部が構成されたものである
請求項２に記載の埋め込み型連結固定具。
【請求項４】
前記オス本体は、オス磁着具が内蔵され、内部に前記オス磁着具が移動可能な作動空間が形成され、前記作動空間の一端にオス磁着部が離脱されることを防止する離脱防止部が形成され、前記離脱防止部とオス磁着部との間でオス磁着具を原位置させる弾性体が備えられたものである
請求項１に記載の埋め込み型連結固定具。
【発明の詳細な説明】
【技術分野】
【０００１】
本発明は、埋め込み型連結固定具に関し、特に、家具と家具またはパーティションとパーティション等を互いに連結したり、分離するとき、別の工具を使用しなくとも結合及び分離が容易であり、外部から加えられる衝撃にも分離されないように堅固に固定させ、常時は突出されず、固定時にのみ突出されて、連結及び固定が可能なようになる埋め込み型連結固定具に関する。
【背景技術】
【０００２】
周知のように、机と本棚、本棚と本棚等を互いに連結してさらに堅固になり、様々な家具を互いに連結させた様々な構成で提供したり、消費者の選択によって家具等を連結して構成できるようにするシステム家具が使用されている。
【０００３】
このようなシステム家具を連結するにあたって、一般的にボルトやねじを用いて家具と家具を連結しており、このようなボルトやねじを用いた家具の結合及び分離は、繰り返されるにつれて家具間の結合力が弱まったり、家具に損傷が発生されるという問題点があり、工具無しでは結合及び分離が不可能になり、このようなボルトやねじが家具の外部から結合される場合、ボルトやねじの頭が外部に露出して美観を阻害する恐れがあり、家具の内部で結合されるためには、熟練者の組立技術が求められるという問題点がある。
【０００４】
また、家具の連結が容易なように家具用連結装置が提案されたことがあり、その代表的な例として、特許文献１（発明の名称：家具用連結装置；以下、「引用発明」とする）がある。
【０００５】
上記引用発明は、図１に示したように、家具４０の固定孔４１に打ち込まれる嵌込部２１と、対応物家具５０の貫通孔５１に嵌め込まれる突出部２２とを有する支持具２０が両側に分割されて一体に重なるように備えられ、一方は、前記支持具２０の内部に円錐部１１が内蔵されて前記家具４０に打ち込まれ、他方は、対応物家具５０の貫通孔５１に入ってカム５２に頭部１３が掛かる連結口１０で構成された家具用連結装置において、前記支持具２０の突出部２２には、前記突出部２２と同一外径の回転取っ手３０が備えられるが、前記支持具２０が前記家具４０に打ち込まれた状態で前記回転取っ手３０を９０度切ると、前記支持具２０を回転させて家具４０から抜くことができる道具として使用されるようにした家具用連結装置である。
【０００６】
このような引用発明は、家具の固定孔に嵌め込まれる支持具２０に回転取っ手３０を一体に射出形成した特徴により、常時は、前記回転取っ手３０が支持具２０の外径と同一に維持されるので、家具と家具とを組み立てるときに妨げられないので使用が便利であり、組立過程で前記支持具２０を誤って締結したり、または家具から分離することが発生されたとき、前記支持具２０の外周面に形成された回転取っ手３０を９０度切ると、支持具２０から突出されて取っ手の役割をする。したがって、この回転取っ手３０を用いて支持具２０を回転させると、大きい力を入れずに支持具２０を家具から分離させることができるので、作業が便利になるという長所があるが、引用発明の家具用連結装置は、打撃して嵌め込む形式で組み立てられるものであるため、引用発明も家具の連結のための別の工具が必要になるという問題点があるものであり、引用発明は、連結が完了した後には、分離することが難しくなるものであるだけでなく、打撃により連結されるので、連結及び分離を繰り返す場合、家具を損傷させたり、連結及び分離の繰り返しによって家具４０の固定孔４１を嵌込部２１が広げるようになり、それ以上連結及び固定させることができなくなるという問題点があるものである。
【先行技術文献】
【特許文献】
【０００７】
【特許文献１】大韓民国登録特許公報第１０−１２５２７１９号
【発明の概要】
【発明が解決しようとする課題】
【０００８】
本発明の目的は、このような問題点を解決するために、家具と家具またはパーティションとパーティション等を互いに連結したり、分離するとき、別の工具を使用しなくとも結合及び分離が容易なようにし、家具の損傷無しで繰り返し的な連結及び分離が可能であり、外部から加えられる衝撃にも分離されないように堅固に固定させる埋め込み型連結固定具を提供することにある。
【課題を解決するための手段】
【０００９】
本発明は、このような目的を達成するために、内部にメス磁着具を固定させて内蔵したメス本体と、前記メス磁着具に磁着されるオス磁着具と、前記オス磁着具の一部が出入可能なようにオス磁着具を内蔵するオス本体と、前記メス本体の内部に形成され、磁力によりオス本体から突出されるオス磁着具の一部が挿入されて、前記メス磁着具に磁着されるようにする磁着空間と、前記磁着空間に挿入されたオス磁着具が挿入方向の垂直方向に摺動するとき、メス本体にオス磁着具を固定させる固定空間と、が構成された埋め込み型連結固定具を提供する。
【発明の効果】
【００１０】
このようにして、本発明は、互いに連結しようとする家具等の一面にメス本体を埋め込み、前記一面に当接する他の家具等の一面にオス本体を埋め込んで、前記家具と他の家具とが密接するとき、前記オス本体に内蔵されたオス磁着具が磁力により移動されてオス磁着具の一部がメス本体の磁着空間に挿入された後、メス本体内部のメス磁着具に磁着された状態で一方に摺動してオス磁着具に形成された係止溝にメス本体から突出された突出部が係止されるので、メス本体とオス本体とが結合されることで、家具と他の家具とが互いに連結固定されるものであって、家具と他の家具、パーティションと他のパーティション等を互いに連結固定させるのに別の工具が不要になるものである。
【００１１】
また、このような連結固定状態では、オス本体に内蔵されたオス磁着具の一部がメス本体の磁着空間に挿入された状態でメス本体内部でメス磁着具に磁着され、オス磁着具の係止溝にメス本体から突出された突出部が掛かっているので、外部衝撃によっては、全く連結固定状態が解体されず、前記メス本体の突出部がオス磁着具の係止溝の係止状態を解除し、メス本体内部でメス磁着具とオス磁着具とが磁着された磁力より強い力で移動させて、オス磁着具の一部がメス本体の磁着空間から分離されるようにするだけで互いに分離されることができ、分離させるのにも別の工具が不要になるという利点と、連結及び分離が極めて容易になるという有用な効果がある。
【図面の簡単な説明】
【００１２】
【図１】引用発明の構成を示す断面図
【図２】本発明に係る埋め込み型連結固定具の具体的な実施形態の全体的な構成を示す分解斜視図
【図３】本発明に係る埋め込み型連結固定具の作動を説明する作動図
【図４】本発明に係る埋め込み型連結固定具の作動を説明する作動図
【図５】本発明に係る埋め込み型連結固定具の作動を説明する作動図
【図６】本発明に係る埋め込み型連結固定具の他の実施形態を示す断面図
【発明を実施するための形態】
【００１３】
内部にメス磁着具を固定させて内蔵したメス本体と、前記メス磁着具に磁着されるオス磁着具と、前記オス磁着具の一部が出入可能なようにオス磁着具を内蔵するオス本体と、前記メス本体の内部に形成され、磁力によりオス本体から突出されるオス磁着具の一部が挿入されて、前記メス磁着具に磁着されるようにする磁着空間と、前記磁着空間に挿入されたオス磁着具が挿入方向の垂直方向に摺動するとき、メス本体にオス磁着具を固定させる固定空間が構成されることを特徴とする埋め込み型連結固定具。
【００１４】
このような本発明を、添付された図面を参照して本発明の属する技術分野における通常の知識を有する者が容易に実施できるように本発明の実施形態を詳細に説明すれば、次のとおりである。
本発明に係る埋め込み型連結固定具の具体的な実施形態の全体的な構成を図２に示した。
【００１５】
これから分かるように、本発明に係る埋め込み型連結固定具は、連結しようとする物体に埋め込まれ、内部にメス磁着具２００を固定させて内蔵したメス本体１００と、
前記メス磁着具２００に磁着されるオス磁着具４００と、
前記オス磁着具４００の一部が出入可能なようにオス磁着具４００を内蔵し、メス本体１００が埋め込まれた物体に連結されて埋め込まれるオス本体３００と、
【００１６】
前記メス本体１００の内部に形成され、磁力によりオス本体３００から突出されるオス磁着具４００の一部が挿入されてメス磁着具２００に磁着されるようにする磁着空間１１０と、
【００１７】
前記磁着空間１１０に挿入されたオス磁着具４００が挿入方向の垂直方向に摺動するとき、メス本体１００にオス磁着具４００を固定させる固定空間１１２とが構成され得る。
【００１８】
これを各構成要素別により詳細に説明すれば、前記オス本体３００は、図２〜図５に示したように、連結される家具やパーティション、家具に設けられる脚等のような設置品等、連結しようとする物体に埋め込まれ、オス磁着具４００が内蔵されたものである。また、このようなオス本体３００の内部に前記オス磁着具４００が移動可能な作動空間３１０が形成され、前記作動空間３１０の一端にオス磁着具４００が完全に離脱されることを防止する離脱防止部３２０が形成され、前記離脱防止部３２０には、オス磁着具４００の一部が出入され得るようにする出入口が形成され得るし、前記離脱防止部３２０とオス磁着具４００との間に構成されて、突出されたオス磁着具４００を原位置させる弾性体３３０などが備えられ得る。
【００１９】
ここで、前記弾性体３３０は、ばねで構成されることができ、オス磁着具４００の作動による騷音を防止できるように、弾性力のある軟質の合成樹脂バンド、ゴムバンドなどで構成されることができ、伸縮性のある漏斗状で形成されて、オス磁着具４００に干渉されないように離脱防止部３２０内側に密着設置されることができる。
【００２０】
また、前記オス本体３００に内蔵されるオス磁着具４００は、図２〜図４に例示したように、オス本体３００内部の内径と同じ形状及びオス本体３００内部の内径に近接する大きさで形成されて、オス本体３００内部で捻れることなく、一方に往復移動が可能なように形成された基部４１０と、前記基部４１０から突出されて、基部４１０が移動することで離脱防止部３２０の出入口を出入して、密接されたメス本体１００の磁着空間１１０に挿入可能な磁着部４２０と、前記磁着部４２０の周りに形成されて、メス本体１００から突出された突出部１３０と結合される係止溝４２２とが構成され得る。
【００２１】
さらに、前記メス本体１００は、強い磁力のあるメス磁着具２００を内蔵し、家具やパーティション等の連結しようとする物体を連結するとき、前記オス本体３００に密接される位置に埋め込まれるものであり、前記固定空間１１２は、磁着空間１１０に挿入後、垂直方向に摺動するオス磁着具４００の係止溝４２２に係止されるようにメス本体１００から突出された突出部１３０が構成され得るので、メス本体１００にオス本体３００が密接されると、磁力により移動されて突出されたオス磁着具４００の磁着部４２０がメス本体１００の磁着空間１１０に挿入されてメス磁着具２００と磁着され、メス本体１００とオス本体３００のいずれか１つが一方に摺動することで、挿入された磁着部４２０が固定空間１１２に移動されつつ、磁着部４２０の側面に形成された係止溝４２２に固定空間１１２の突出部１３０が挿入されて係止結合が発生されることにより、磁着部４２０の挿入方向またはその反対方向に磁着部４２０が、メス磁着具２００に磁着された磁力より強い力が加えられても分離されずに安定的に連結状態を維持できるようになるものであるから、安定的な連結維持が可能となるものである。
【００２２】
ここで、前記磁着部４２０の係止溝４２２と固定空間１１２の突出部１３０との結合状態が任意に解除されることを防止できるように、突出部１３０は終端に段差部１３１が備えられ得る。
【００２３】
このような本発明に係る埋め込み型連結固定具は、図３〜図５を介してその作動を説明しているように、オス本体３００が埋め込まれた家具の一面にメス本体１００が埋め込まれた他の家具の一面を接続させると、図４のように、移動可能なオス磁着具４００が磁力により移動されて、オス磁着具４００の磁着部４２０がメス本体１００の磁着空間１１０に挿入されることで、オス磁着具４００の磁着部４２０とメス本体１００内部に固定されたメス磁着具２００が磁着され、図５に示すように、メス本体１００とオス本体３００のいずれか１つが一方に摺動することで、挿入された磁着部４２０が固定空間１１２に移動されながら、磁着部４２０の係止溝４２２と固定空間１１２の突出部１３０とが結合されて安定的な連結状態が維持され得るものであり、このように、連結された家具と他の家具とを分離させることは、連結過程の逆順に進まれることができる。
【００２４】
図５のような状態において図４のように、メス本体１００とオス本体３００のいずれか１つが他方に摺動することで、固定空間１１２から磁着部４２０が分離され、その後に、磁着部４２０とメス磁着具２００とが磁着された磁力より強い力でメス本体１００とオス本体３００とを離間させると、図３に示すように、前記磁着部４２０とメス磁着具２００とが分離されながら、弾性体３３０によりオス磁着具４００が原位置（図３では、下方に移動）されて、家具と他の家具とが分離され得るものである。
【００２５】
すなわち、連結しようとする物体を互いに接触させて摺動させるか、摺動させて離間させる作業だけで、オス本体３００のオス磁着具４００が移動されてメス本体１００内部の磁着空間１１０に挿入され、固定されたメス磁着具２００に前記オス磁着具４００の磁着部４２０が磁着されるか離れて、連結しようとする物体の連結及び分離が繰り返され得るものであるから、物体の連結及び分離が簡便になり、別の工具が不要になるものである。
【００２６】
また、本発明に係る埋め込み型連結固定具のオス磁着具４００とメス磁着具２００とは、互いに極が異なる天然磁石で構成されることができ、結合強度を増大させ得るように、メス磁着具２００は、磁石、オス磁着具４００は、強磁性体（鉄製等）で各々構成されることができる。
【００２７】
さらに、オス磁着具４００は、重力を勝ち抜く磁力により突出されるように構成されることが好ましく、オス磁着具４００の重さが磁力より少なくて初めてオス磁着具４００が移動されて磁着され得るので、前記オス磁着具４００は、重さを最小化しながら強度を高め、磁性体からなるメス磁着具２００に磁着可能なように図６に例示したように、オス磁着具４００は、一端に鉄製層４２１が備えられたエンジニアリングプラスチックで形成されることができる。
【００２８】
また、前記メス磁着具２００は、強い磁力を有する磁石で構成され得るので、このようなメス磁着具２００の磁力が家具内部に収納された収納品に悪影響を与える恐れがあるので、このようなメス磁着具２００の磁力が連結にのみ作用されるように構成されることが好ましく、これにより、メス磁着具２００を内蔵するメス本体１００自体が磁力遮蔽材として形成されることができ、図６に例示したように、メス本体１００は、内蔵されたメス磁着具２００の磁力が一方にのみ作用するように遮蔽する磁力遮蔽部１２０が構成され得る。
【００２９】
また、オス本体３００に内蔵されるオス磁着具４００の磁着部４２０は、常時（分離状態）に離脱防止部３２０の出入口表面と磁着部４２０の終端面とが一致する位置に調整されることが好ましく、これは、磁着部４２０の終端面が離脱防止部３２０の出入口表面の外に突出されれば係止が発生され、磁着部４２０の終端面が離脱防止部３２０の出入口表面より入り込んでいると、異物などが付着されて磁着を妨げる恐れがあるので、これを解消するために、オス本体３００は、オス磁着具４００の基部４１０を支持してオス磁着具４００の磁着部４２０終端面を離脱防止部３２０の出入口表面と一致させる空間調節部３４０が構成され得る。
【００３０】
以上、本発明に関する技術思想を添付図面とともに述べたが、これは、本発明の最も良好な実施形態を例示的に説明したものであり、本発明を限定するものではなく、この技術分野の通常の知識を有する者であれば誰でも本発明の技術思想の範囲を逸脱しない範囲内で寸法及び形状、構造等の様々な変形及び摸倣ができることは明らかな事実であり、このような変形及び摸倣は、本発明の技術思想の範囲に含まれる。
【図１】
2019511946.tif 000003
【図２】
2019511946.tif 000004
【図３】
2019511946.tif 000005
【図４】
2019511946.tif 000006
【図５】
2019511946.tif 000007
【図６】
2019511946.tif 000008
【国際調査報告】
2019511946.tif 000009
2019511946.tif 000010
2019511946.tif 000011
2019511946.tif 000012
2019511946.tif 000013
2019511946.tif 000014
2019511946.tif 000015
2019511946.tif 000016